(57)【要約】【課題】風路抵抗の増加などにより換気風量を低下させることなく、雨滴などの衝突音による騒音を低減させること。【解決手段】制振カバー７は支持部３０を介してフード部２ａ上に空間を空けて支持され、フード部２ａ上に直接接触しないように構成するとともに、支持板２９を介して弾性部材８をフード部２ａと制振カバー７との間に装着する。【選択図】        図６
2011058735.tif 000002
【特許請求の範囲】
【請求項１】
建物の室内に連通する開口部を有するパイプガイドと、
前記パイプガイドの開口部の室外側を覆うとともに、下方に向かって開口したフード部と、
前記フード部の上面に配置され、衝撃振動が前記フード部に伝播されるのを抑制する制振カバーとを備えることを特徴とする換気フード。
【請求項２】
前記制振カバーは、正面と両サイドの端面に向かって傾斜していることを特徴とする請求項１に記載の換気フード。
【請求項３】
前記制振カバーと前記フード部とが直接接触しないように前記制振カバーと前記フード部との間に空間を空けて、前記フード部上に前記制振カバーを支持する支持部をさらに備えることを特徴とする請求項１または２に記載の換気フード。
【請求項４】
前記支持部は、前記制振カバーから前記フード部へ伝達される衝撃振動を減衰させる弾性部材を備えることを特徴とする請求項３に記載の換気フード。
【請求項５】
前記弾性部材はゴムから構成されていることを特徴とする請求項４に記載の換気フード。
【請求項６】
前記支持部は、前記弾性部材を前記制振カバーに接続する支持板をさらに備えることを特徴とする請求項４または５に記載の換気フード。
【請求項７】
前記支持板は、前記制振カバーから前記フード部へ伝達される衝撃振動の伝播距離が増大するように折り曲げられていることを特徴とする請求項６に記載の換気フード。
【発明の詳細な説明】
【技術分野】
【０００１】
本発明は換気フードに関し、特に、建物の壁面などに開口した換気口に装着して室内外の換気に用いられる換気フードに関する。
【背景技術】
【０００２】
従来から、風雨や野鳥などが建物の壁面などに開口した換気口から室内に侵入するのを防止するために、室内外の換気に用いられる換気フードを換気口に装着して換気口を覆うことが行われている。
【０００３】
このような換気フードは外壁面から突出する状態で設置され、アルミ合金や鋼板などの金属材料で作製されている。そのため、降雨時に雨滴などが換気フードに滴下すると、大きな衝突音が発生する。
【０００４】
また、この雨滴などの滴下音は換気ダクトなどの換気経路を伝達経路として室内に侵入し、室内に騒音をもたらしたり、隣の家が接近している場合、隣の家にも騒音として響くことがあった。
【０００５】
このため、従来の換気フードでは、換気フードの内側天面部にゴムなどの弾性部材を貼り付け、換気フード天面部（雨滴の落下面）の剛性を上げることで、衝突音を低減させる対策を施したものがある。
【０００６】
また、雨滴などの衝突音を低減させるために、換気フードの内部や換気経路中に消音機構または制振機構を設けることも知られている（特許文献１、２）。
【先行技術文献】
【特許文献】
【０００７】
【特許文献１】特開平９−１４７１１号公報
【特許文献２】特開２００６−５７４９１号公報
【発明の概要】
【発明が解決しようとする課題】
【０００８】
しかしながら、換気フードの内側天面部に弾性部材を貼り付ける方法では、雨滴等が換気フードに衝突すると、衝撃振動が換気経路を伝わって広がるため、室内に騒音が侵入するという問題があった。
【０００９】
また、換気経路中に消音機構を設ける方法では、風路抵抗が増大し、換気風量が少なくなるという問題があった。
【００１０】
さらに、換気フードの内部に制振機構を設ける方法では、換気風量を減少させることなく制振することが可能であるが、フード体自体が振動発生源となるため、大きな騒音低減効果は望めないという問題があった。
【００１１】
本発明は、上記に鑑みてなされたものであって、風路抵抗の増加などにより換気風量を低下させることなく、雨滴などの衝突音による騒音を低減させることのできる換気フードを得ることを目的とする。
【課題を解決するための手段】
【００１２】
上述した課題を解決し、目的を達成するために、本発明の換気フードは、建物の室内に連通する開口部を有するパイプガイドと、前記パイプガイドの開口部の室外側を覆うとともに、下方に向かって開口したフード部と、前記フード部の上面に配置され、衝撃振動が前記フード部に伝播されるのを抑制する制振カバーとを備えることを特徴とする。
【発明の効果】
【００１３】
この発明によれば、風路抵抗の増加などにより換気風量を低下させることなく、雨滴などの衝突音による騒音を低減させることが可能という効果を奏する。
【図面の簡単な説明】
【００１４】
【図１】図１は、本発明に係る換気フード２の実施の形態１の概略構成を示す斜視図である。
【図２】図２（ａ）は、図１の換気フード２の概略構成を示す正面図、図２（ｂ）は、図１の換気フード２の概略構成を示す側面図である。
【図３】図３は、図１の換気フード２を分解して示す斜視図である。
【図４】図４は、図１の換気フード２を建物の壁面１７に装着した時の状態を示す斜視図である。
【図５】図５は、図１の換気フード２を建物の壁面１７に装着した時の状態を示す断面図である。
【図６】図６は、図１の換気フード２をＡ−Ａ´線に沿って切断した時のフード部２ａ上面の概略構成を示す斜視図である。
【図７】図７（ａ）は、図６の弾性部材８の概略構成を示す上面図、図７（ｂ）は、図６の弾性部材８の概略構成を示す側面図および断面図である。
【図８】図８（ａ）は、従来の換気フード４２の衝撃振動Ｂの伝播方向を示す断面図、図８（ｂ）は、図１の換気フード２の衝撃振動Ｂの伝播方向を示す断面図である。
【図９】図９は、本発明に係る換気フード２の雨滴音低減効果実証試験を行う実験室の概略構成を示す断面図である。
【発明を実施するための形態】
【００１５】
以下に、本発明に係る換気フードの実施の形態を図面に基づいて詳細に説明する。なお、この実施の形態によりこの発明が限定されるものではない。
【００１６】
実施の形態１．
図１は、本発明に係る換気フード２の実施の形態１の概略構成を示す斜視図、図２（ａ）は、図１の換気フード２の概略構成を示す正面図、図２（ｂ）は、図１の換気フード２の概略構成を示す側面図、図３は、図１の換気フード２を分解して示す斜視図、図４は、図１の換気フード２を建物の壁面１７に装着した時の状態を示す斜視図である。
【００１７】
図１〜図４において、換気フード２は、建物の壁面１７などに開口した換気口に装着して室内外の換気に用いられる。ここで、換気フード２には、建物の室内に連通する開口部２１を有する円筒状のパイプガイド１、パイプガイド１の開口部２１の室外側を覆うとともに、下方に向かって開口したフード部２ａ、パイプガイド１とフード部２ａを接続し、それらを壁面１７と固定させるベースプレート３および衝撃振動がフード部２ａに伝播されるのを抑制する制振カバー７が設けられている。
【００１８】
ここで、パイプガイド１は、建物の壁面１７などに開口している室内と連通する換気口に接続し、室内への外気の給気または室外への室内空気の排気を行えるようにすることができる。フード部２ａは、風雨や野鳥などが、建物の壁面などに開口した換気口から室内に侵入するのを防止することができる。ここで、フード部２ａには、下方に開口部１９が設けられている。そして、フード部２ａには、その開口部１９に風雨や鳥などが侵入するのを防止したり、排気気流による壁面１７の汚れを防止するために、壁面１７から離れていくように排気気流を風向変更するギャラリ５が設けられている。なお、風雨や虫がフード部２ａに侵入するのをより効果的に防止するために、パイプガイド１の開口部２１に固定する網６を設けるようにしてもよい。
【００１９】
ベースプレート３には、壁面１７との間からの雨水の侵入を防止するためのコーキング２０を外周に固定する溝１５、壁面１７とネジ固定するために正面部に配置された穴４、降雨時に雨水が壁面１７を伝って壁面１７を汚さないように換気フード２から垂れる水滴を壁面１７から離して滴下させるワイド水切り１６が設けられている。
【００２０】
制振カバー７は、フード部２ａおよびベースプレート３の上面に配置され、上方から滴下した雨滴などを制振カバー７で受けるようにして、フード部２ａの上面に衝突しないように構成されている。
【００２１】
図５は、図１の換気フード２を建物の壁面１７に装着した時の状態を示す断面図である。図５において、建物の壁面１７などには、室内への外気の給気または室外への室内空気の排気を行う換気口１８が設けられ、換気口１８は、壁面１７に開口している室内と連通している。そして、換気フード２は、壁面１７に開口している室内と連通する換気口１８の端末に接続される。
【００２２】
そして、室内への外気の給気または室外への室内空気の排気が行われると、室内と室外との間で気流Ｚが発生する。ここで、換気フード２を換気口１８に接続することにより、風雨や虫や鳥などが換気口１８から室内に侵入するのを防止することができる。
【００２３】
図６は、図１の換気フード２をＡ−Ａ´線に沿って切断した時のフード部２ａ上面の概略構成を示す斜視図、図７（ａ）は、図６の弾性部材８の概略構成を示す上面図、図７（ｂ）は、図６の弾性部材８の概略構成を示す側面図および断面図である。
【００２４】
図６および図７において、制振カバー７は、フード部２ａ上に支持部３０を介して支持されている。この支持部３０は、制振カバー７とフード部２ａとが直接接触しないように制振カバー７とフード部２ａとの間に空間を空けることができる。
【００２５】
ここで、支持部３０には、制振カバー７からフード部２ａへ伝達される衝撃振動を減衰させる弾性部材８が設けられている。そして、フード部２ａの上面において、制振カバー７に弾性部材８を緩衝材として外部に挟み、フード部２ａの上面に制振カバー７を固定し一体化することができる。
【００２６】
ここで、フード部２ａの上面には、弾性部材８を挿入する穴９が形成されるとともに、弾性部材８には、穴９の周囲を弾性部材８にて挟み込む溝１０が弾性部材８の中央付近に径に沿って形成されている。また、弾性部材８の中心には、金属筒１１を挿入する貫通穴３１が形成されている。そして、制振カバー７は、フード部２ａの上面に開口している穴９に弾性部材８の中央にある溝１０で挟みこむように嵌め込むことができる。
【００２７】
この場合、弾性部材８を介してフード部２ａに制振カバー７を固定した時に、弾性部材８が挟まれ加重によって潰れて変形しないようにするために、弾性部材８の貫通穴３１に弾性部材８と同じ高さの金属筒１１を挿入し、弾性部材８が直接締め付けられることがないようにしてもよい。
【００２８】
そして、弾性部材８を介してフード部２ａに制振カバー７を固定する場合、金属筒１１の貫通穴にネジ１２を挿入し、制振カバー７の裏面に配置されている溶接ナット１４と締め付けることができる。なお、ネジ１２の締め付け時に弾性部材８から抜けないようにするためにネジ１２にワッシャー１３を装着するようにしてもよい。
【００２９】
ここで、制振カバー７の裏面には支持板２９が設けられ、溶接ナット１４は支持板２９に溶接されている。なお、支持板２９は、制振カバー７からフード部２ａへ伝達される衝撃振動の伝播距離が増大するように折り曲げて構成することができる。例えば、１ｍｍ前後の厚みの薄板をＺ形に折り曲げて構成することができる。
【００３０】
ここで、支持板２９を介して弾性部材８をフード部２ａと制振カバー７との間に装着することにより、制振カバー７から伝わる音を減衰させる距離を長くして防音効果を高めることが可能となるとともに、制振カバー７とフード部２ａとの間に空間距離を確保することができる。
【００３１】
なお、制振カバー７の形状は、フード部２ａの上面形状に対応させることができ、正面と両サイドの端面に向かって傾斜形状とするようにしてもよい。これにより、日中の太陽からの紫外線が弾性部材８に直接照射されるのを防止することができ、弾性部材８の紫外線による劣化を防ぐことができる。また、降雨時に雨滴などが制振カバー上面に溜まるのを防止することも可能となり、制振カバー７の上面の溜まる雨水などの腐食原因物質での腐食や汚れを防止することができる。
【００３２】
また、フード部２ａの上面と弾性部材８を挟んで１０ｍｍ前後の空間を介して中空状態で制振カバー７が保持される場合、日中の太陽からの紫外線が弾性部材８に直接照射されるのを防止するため、制振カバー７とフード部２ａの端部との隙間は１ｍｍ〜５ｍｍの間に設定することが好ましい。
【００３３】
また、制振カバー７は、フード部２ａと弾性部材８介して２箇所で支持するようにしてもよいし、１箇所または３箇所以上で支持してもよい。
【００３４】
また、制振カバー７が装着されたフード部２ａを壁面１７に取り付けた場合、制振カバー７が壁面１７と接触しないように構成することが好ましい。これにより、雨滴などの落下物が制振カバー７に衝突した場合においても、衝撃振動が壁面１７に伝わって雨滴音とは異種の騒音が発生するのを防止することができる。
【００３５】
また、制振カバー７をフード部２ａに装着した時に弾性部材８やネジ１などが露出されないように構成することが好ましい。これにより、意匠面の悪化を防止するとともに、弾性部材８やネジ１などの劣化や腐食を防止することができる。
【００３６】
図８（ａ）は、従来の換気フード４２の衝撃振動Ｂの伝播方向を示す断面図、図８（ｂ）は、図１の換気フード２の衝撃振動Ｂの伝播方向を示す断面図である。図８（ａ）において、従来の換気フード４２では、フード４２ａに制振材２１が直接貼り付けられている。このため、雨滴などの滴下物Ｍがフード４２ａに衝突すると、衝撃振動Ｂがフード４２ａの全面に伝播し、衝撃振動Ｂが換気経路を伝わって広がるため、室内に騒音が侵入する。
【００３７】
これに対して、図１の換気フード２では、制振カバー７は支持部３０を介してフード部２ａ上に空間を空けて支持され、フード部２ａ上に直接接触しないように構成されている。これにより、雨滴などの滴下物Ｍがフード部２ａに直接衝突するのを防止することが可能となるとともに、滴下物Ｍの滴下によって制振カバー７に衝撃振動Ｂが発生した場合においても、弾性部材８以外の経路からフード部２ａ側へ伝達されないようにすることができ、雨滴などの衝突音による騒音が室内に侵入するのを抑制することができる。
【００３８】
また、支持部３０として弾性部材８を用いることにより、支持部３０に伝達された衝撃振動Ｂを吸収させることができる。このため、制振カバー７が支持部３０を介してフード部２ａ上に支持されている場合においても、制振カバー７に発生した衝撃振動Ｂがフード部２ａに伝達されるのを抑制させることができる。
【００３９】
以上説明したように、本発明の実施の形態１によれば、支持部３０を介して制振カバー７をフード部２ａ上に空間を空けて支持させることにより、フード部２ａの上面に落下してくる雨滴などの滴下物Ｍが換気フード２に直接衝突するのを防止することができる。このため、滴下物Ｍの衝突時に発生する換気フード２の振動を抑えることができ、その際に発生する衝突音が換気フード２および室内と連通する換気口１８を通して室内に侵入するのを低減させることができる。
【００４０】
なお、雨滴などの滴下物Ｍが制振カバー７上に滴下することによって、制振カバー７自体から発生する衝突音を低減するために、制振カバー７にゴムなどの弾性シートを貼り付けるようにしてもよい。
【実施例１】
【００４１】
図９は、本発明に係る換気フード２の雨滴音低減効果実証試験を行う実験室の概略構成を示す断面図である。図９において、試験室を２部屋とし、音源室２２を室外側、受音室２３を室内側とした。隔壁２４に換気口用の穴を設け、そこへ室内側に向かいスパイラル管２５を取り付けた。なお、スパイラル管２５の長さＨ２２は３００ｍｍに設定した。スパイラル管２５の室内側端部には何もつけず、開口状態とし、室外側には換気フード２を取り付けた。室内外共に試験室外部からの騒音を遮断するために吸音材２６で囲いを設け、換気フード２に滴下する雨滴音のみを測定できる状態とした。この状態で、暗騒音を３０ｄＢ〔Ａ〕前後に設定した。
【００４２】
そして、換気フード２の上面の蛇口２７より毎秒０．１ｃｃ〜０．５ｃｃの水滴を２０秒間滴下させ、室内側のスパイラル管２５の端部から室内側に侵入してきた雨滴音騒音を騒音計２８にて測定した。なお、換気フード２からの蛇口２７の高さＨ３は２０００ｍｍに設定した。また、スパイラル管２５と騒音計２８との間の距離Ｈ１は５００ｍｍに設定した。この測定は各周波数帯での音圧レベルを最も人間の聴覚に近いＡレンジ（以下〔Ａ〕）にて行い、各周波数帯の結果を演算し、下記表１にオールパス値（以下〔ＡＰ〕）で表示した。
【００４３】
【表１】
2011058735.tif 000003
【００４４】
表１から明らかなように、図１の換気フード２では、従来の換気フード４２に比べて、−１８．３ｄＢ〔Ａ〕の雨滴音低減効果が得られた。また、特許文献１の発明と比べても、−８．６Ｂ〔Ａ〕の雨滴音低減効果が得られた。また、特許文献１の発明では、従来の換気フード４２に比べて、−８．６Ｂ〔Ａ〕の雨滴音低減効果であった。
【産業上の利用可能性】
【００４５】
以上のように本発明に係る換気フードは、フード部の上面に落下してくる雨滴などが換気フードに直接衝突するのを防止することができ、風路抵抗の増加などにより換気風量を低下させることなく、雨滴などの衝突音による騒音を低減させる方法に適している。
【符号の説明】
【００４６】
１  パイプガイド
２  換気フード
２ａ  フード部
３  ベースプレート
４、９  穴
５  ギャラリ
６  網
７  制振カバー
８  弾性部材
１０、１５  溝
１１  金属筒
１２  ネジ
１３  ワッシャー
１４  溶接ナット
１６  ワイド水切り
１７  壁面
１８  換気口
１９、２１  開口部
２０  コーキング
２２  音源室
２３  受音室
２４  隔壁
２５  スパイラル管
２６  吸音材
２７  蛇口
２８  騒音計
２９  支持板
３０  支持部
３１  貫通穴
【図１】
2011058735.tif 000004
【図２】
2011058735.tif 000005
【図３】
2011058735.tif 000006
【図４】
2011058735.tif 000007
【図５】
2011058735.tif 000008
【図６】
2011058735.tif 000009
【図７】
2011058735.tif 000010
【図８】
2011058735.tif 000011
【図９】
2011058735.tif 000012